【手続補正書】
【提出日】平成21年3月24日(2009.3.24)
【手続補正１】
【補正対象書類名】特許請求の範囲
【補正対象項目名】全文
【補正方法】変更
【補正の内容】
【特許請求の範囲】
【請求項１】
ハウジングと、
前記ハウジングに配され、貫通する通路を有するモータマウントと、
前記モータマウントと連結され、該モータマウントを前記ハウジングに対して選択的に回転させる駆動モータと、
貫通する通路を有するハブと、該ハブを少なくとも部分的に取り囲むケーシングとを含む回転アッセンブリーであって、該ハブは前記ケーシングに対して回転可能であり、該回転アッセンブリーが、該ハブの前記通路が前記モータマウントの前記通路と同心となるように前記ハウジングに取り外し可能に連結される回転アッセンブリーと、
含む混合システム。
【請求項２】
前記ハウジングに窪む出入口であって、前記出入口の少なくとも一部が肩部によって境界となる出入口をさらに含み、
前記回転アッセンブリーの前記ケーシングは、それに形成されたフランジを有し、該回転アッセンブリーは、該ケーシングの前記フランジが該出入口の前記肩部に置かれるように前記ハウジングの前記出入口内に取り外し可能に受け入れられる請求項１に記載の混合システム。
【請求項３】
前記ハウジングは、前記回転アッセンブリーを該ハウジングの前記出入口内に留めるように選択的に閉塞され得るドアを含む請求項２に記載の混合システム。
【請求項４】
前記出入口の一部の内側を覆う弾性エラストマー材料の部分をさらに含み、前記ドアが閉じられる場合、前記回転アッセンブリーが前記エラストマー材料に対し付勢する請求項３に記載の混合システム。
【請求項５】
第１の端部および対向する第２の端部を有する細長い管状コネクタであって、前記コネクタの前記第１の端部は前記ハブに連結される細長い管状コネクタと、
前記管状コネクタの前記第２の端部にあるインペラと、
をさらに含む請求項１に記載の混合システム。
【請求項６】
小室を有する容器をさらに含み、前記インペラは、前記小室内に配置される請求項５に記載の混合システム。
【請求項７】
前記容器は、前記回転アッセンブリーの前記ケーシングに固定される可撓性バッグからなる請求項６に記載の混合システム。
【請求項８】
前記容器は、開口部を有する可撓性ライナーを含み、前記コネクタは、該開口部を貫通する請求項６に記載の混合システム。
【請求項９】
第１の端部および対向する第２の端部を有する駆動シャフトをさらに含み、該駆動シャフトの該第２の端部が前記インペラと係合するように、前記駆動シャフトの前記第２の端部は、前記モータマウント、前記回転アッセンブリーの前記ハブ、および、前記コネクタを貫通する請求項５に記載の混合システム。
【請求項１０】
前記駆動シャフトの前記第１の端部は、前記駆動モータによる該モータマウントの回転が該駆動シャフトの回転を推進するように前記モータマウントと係合する請求項９に記載の混合システム。
【請求項１１】
実質的に切頭円錐形の第１の係合部分を有する前記駆動シャフトの前記第１の端部と、
そこを通って延びている前記通路の境界となる内面を有する前記モータマウントと、
前記第１の係合部分に対して相補的であり実質的に切頭円錐形を有する第２の係合部分を形成する前記内面の少なくとも一部と、をさらに含み、
該第１の係合部分は、前記第２の係合部分内に受け入れられる請求項９に記載の混合システム。
【請求項１２】
前記第１の係合部分および前記第２の係合部分のうちの一方は、ポリマー材料からなり、該第１の係合部分および該第２の係合部分のうちの他方は、金属からなる請求項１１に記載の混合システム。
【請求項１３】
そこを貫通する通路を有するモータマウントと、
該モータマウントと連結され、前記モータマウントを選択的に回転させる駆動モータと、
小室を有する容器と、
第１の端部および対向する第２の端部を有する駆動シャフトであって、前記駆動シャフトの前記第１の端部は、実質的に切頭円錐形の第１の係合部分を有し、該駆動シャフトの該第１の係合部分が該モータマウントの該通路内に少なくとも部分的に配置され、該駆動シャフトの前記第２の端部が前記容器の前記小室内に配置されるように、前記モータマウントの前記通路を貫通される駆動シャフトと、
含む混合システム。
【請求項１４】
前記モータマウントは、そこを貫通する前記通路の境界となる内面を有し、該内面の少なくとも一部は、前記第１の係合部分に対して相補的な実質的に切頭円錐形の第２の係合部分を形成し、該第１の係合部分は、前記第２の係合部分内に受け入れられる請求項１３に記載の混合システム。
【請求項１５】
前記第１の係合部分および前記第２の係合部分のうちの一方は、ポリマー材料からなり、該第１の係合部分および該第２の係合部分のうちの他方は、金属からなる請求項１４に記載の混合システム。
【請求項１６】
前記駆動シャフトは、
前記第１の係合部分を含み、ポリマー材料からなるヘッド部分と、
前記駆動シャフトの前記第２の端部を含み、金属からなるシャフト部分と、を含み、
前記ヘッド部分および前記シャフト部分が、一緒に連結される請求項１３に記載の混合システム。
【請求項１７】
ハウジングと、
そこを貫通する通路を有するハブと、該ハブを少なくとも部分的に取り囲んでいるケーシングとを含む回転アッセンブリーであって、該ハブは前記ケーシングに対して回転可能であり、該ハブの前記通路が前記モータマウントの前記通路と同心であるように、前記ハウジングに取り外し可能に連結される回転アッセンブリーと、
をさらに含む請求項１３に記載の混合システム。
【請求項１８】
前記ハウジング上に窪んだ出入口であって、前記出入口の少なくとも一部が肩部によって境界となる、出入口と、形成されるフランジを有する前記回転アッセンブリーの前記ケーシングと、をさらに含み、
該回転アッセンブリーは、該ケーシングの該フランジが前記出入口の前記肩部の上に載るように前記ハウジングの前記出入口内に取り外し可能に受け入れられる請求項１７に記載の混合システム。
【請求項１９】
前記ハウジングは、前記回転アッセンブリーを該ハウジングの前記出入口内に留めるように選択的に閉じることができるドアを含む請求項１８に記載の混合システム。
【請求項２０】
前記モータマウントは、前記ハウジングに回転可能に連結される請求項１７に記載の混合システム。
【請求項２１】
第１の端部および対向する第２の端部を有する細長い管状コネクタであって、該コネクタの該第１の端部が前記ハブに連結される細長い管状コネクタと、
前記管状コネクタの前記第２の端部にあるインペラと、
をさらに含む請求項１７に記載の混合システム。
【請求項２２】
小室を有する容器をさらに含み、前記インペラは、前記小室内に配置される請求項２１に記載の混合システム。
【請求項２３】
前記容器は、前記回転アッセンブリーの前記ケーシングに固定される可撓性バッグからなる請求項２２に記載の混合システム。
【請求項２４】
前記容器は、開口部を有する可撓性ライナーを含み、前記コネクタは、前記開口部を貫通する請求項２２に記載の混合システム。
【請求項２５】
前記駆動シャフトの前記第２の端部は、該駆動シャフトの該第２の端部が前記インペラと係合するように、前記モータマウント、前記回転アッセンブリーの前記ハブ、および前記コネクタ内で貫通される請求項２１に記載の混合システム。
【請求項２６】
前記駆動シャフトの前記第１の端部は、前記駆動モータによるモータマウントの回転が該駆動シャフトの回転を推進するように前記モータマウントと係合する請求項２５に記載の混合システム。
【請求項２７】
前記駆動シャフトの回転が前記ケーシングに対する該ハブの回転を推進するように、該駆動シャフトは、前記ハブに係合する請求項２５に記載の混合システム。
【請求項２８】
そこを貫通する通路を有するハブと、該ハブを少なくとも部分的に取り囲むケーシングと、該ハブに連結される第１の端部と、そこにインペラが位置付けられた状態で対向する第２の端部とを有する細長い管状コネクタと、を含み、該ハブが前記ケーシングに対して回転可能である回転アッセンブリーをハウジングに取り外し可能に連結し、
駆動シャフトの第２の端部が前記インペラと係合し、該駆動シャフトの第１の端部がモータマウントに固定されるように駆動シャフトの第２の端部をモータマウント、前記ハブ、および前記コネクタを介して前に出し、
その結果として前記インペラを回転させる前記駆動シャフトを回転させるように前記モータマウントを回転させること、
を含む方法。
【請求項２９】
前記回転アッセンブリーを前記ハウジングに取り外し可能に連結させるステップは、
前記回転アッセンブリーを前記ハウジングに形成される出入口に挿入し、
前記ケーシングが前記ハウジングに対して固定され、前記ハブが該ハウジングに対して回転できるように前記回転アッセンブリーを前記出入口内に留めることを含む請求項２８に記載の方法。
【請求項３０】
前記インペラを容器の小室に挿入することをさらに含む請求項２８に記載の方法。
【請求項３１】
第１の端部と対向する第２の端部との間に延びている通路の境界となる内面を有する細長い管状コネクタと、
前記管状コネクタの前記第２の端部に配置されるインペラと、
第１の端部および対向する第２の端部を有する細長い駆動シャフトであって、該第２の端部は、前記管状コネクタの前記通路を貫通し、該駆動シャフトの回転が該インペラおよび該管状コネクタの同時回転を推進するように前記インペラと係合し、該駆動シャフトの前記第１の端部が該管状コネクタの該通路の外側に配置される細長い駆動シャフトと、
前記管状コネクタの前記第１の端部を前記駆動シャフトに固定するための手段と、
前記駆動シャフトを選択的に回転させるための手段と、
含む混合システム。
【請求項３２】
前記固定するための手段は、前記管状コネクタ上に取り付けられ、該管状コネクタを前記駆動シャフトに対し半径方向内方に付勢する請求項３１に記載の混合システム。
【請求項３３】
前記固定するための手段は、前記管状コネクタに取り付けられるクランプからなる請求項３１に記載の混合システム。
【請求項３４】
小室を有する容器をさらに含み、前記インペラは、前記小室内に配置される請求項３１に記載の混合システム。
【請求項３５】
前記容器は、開口部を有する可撓性ライナーからなり、前記コネクタは、前記開口部に触れずに該開口部を通る請求項３４に記載の混合システム。
【請求項３６】
剛性の支持ハウジングをさらに含み、前記ライナーは、前記剛性の支持ハウジング内に少なくとも部分的に配置される請求項３５に記載の混合システム。
【請求項３７】
前記駆動シャフトを選択的に回転させるための手段は、
ハウジングと、
前記ハウジング上に配置され、そこを貫通する通路を有するモータマウントと、
前記モータマウントと連結され、前記モータマウントを前記ハウジングに対して選択的に回転させる駆動モータと、
を含み、
前記駆動シャフトの少なくとも一部が、該モータマウントの回転が該駆動シャフトの回転を推進するように前記モータマウントに係合する請求項３１に記載の混合システム。
【手続補正２】
【補正対象書類名】明細書
【補正対象項目名】００４８
【補正方法】変更
【補正の内容】
【００４８】
本発明の一実施例において、駆動シャフト１１０を選択的に回転させるための手段が設けられる。こうした手段の一例は、上述のようなハウジング５４、駆動モータ１００、およびモータマウント７０を含む。こうした手段の代替的な実施例は、ここに説明されたような駆動シャフト１１０、ハウジング５４、駆動モータ１００、およびモータマウント７０の代替物を含む。こうした手段のさらなる代替物は、'８３４出願に説明されるような駆動シャフトを回転させるための代替的なシステムを含む。さらに他の実施例において、駆動シャフト１１０の回転の際に、種々の他の周知のキー溝、歯車装置、ベルト・システム等が用いられ得ることが理解される。